【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
感知された音声入力に基づいてマイクロフォン信号を出力する音声マイクロフォンと、
発話行為により生成された音声以外の入力に基づいてセンサ信号を出力する発話音声センサと、
前記センサ信号の第１の特徴の分散レベルと前記マイクロフォン信号とに基づいて、ユーザが話し中であるかどうかを示す発話音声検出信号を出力する発話音声検出コンポーネントを備え、
前記センサ信号の前記第１の特徴は、ユーザが話し中の場合の第１の分散レベルとユーザが話し中でない場合の第２の分散レベルを有し、前記発話音声検出コンポーネントは、所定の時間にわたり前記第１の分散レベルと前記第２の分散レベルのうちの所定の一方を含む前記第１の特徴の基本分散レベルと、前記センサ信号の前記第１の特徴の前記分散レベルとの比較に基づいて前記発話音声検出信号を出力することを特徴とする発話音声検出システム。
【請求項２】
前記基本分散レベルは、所定の時間にわたる前記第１の特徴の分散レベルを平均することによって計算されることを特徴とする請求項１記載の発話音声検出システム。
【請求項３】
前記基本分散レベルは、前記発話音声検出システムが動作中に断続的に再計算されることを特徴とする請求項１記載の発話音声検出システム。
【請求項４】
前記基本分散レベルは、分解時間窓にわたる前記第１の特徴の前記分散レベルを表すために周期的に再計算されることを特徴とする請求項３記載の発話音声検出システム。
【請求項５】
前記発話音声検出コンポーネントは、前記基本分散レベルと、前記センサ信号の前記第１の特徴の前記分散レベルとの比較結果に基づいて前記発話音声検出信号を出力し、前記比較は周期的に行われることを特徴とする請求項３記載の発話音声検出システム。
【請求項６】
前記比較は、前記基本分散レベルの再計算の頻度よりも高い頻度で行われることを特徴とする請求項５記載の発話音声検出システム。
【請求項７】
前記音声マイクロフォンと前記発話音声センサは、ヘッドフォンに搭載されていることを特徴とする請求項１記載の発話音声検出システム。
【請求項８】
発話音声検出システムを備えた発話音声認識システムであって、
前記発話音声検出システムは、
感知された音声入力に基づいてマイクロフォン信号を出力する音声マイクロフォンと、
発話行為によって生成された音声以外の入力に基づいてセンサ信号を出力する発話音声センサと、
前記マイクロフォン信号と前記センサ信号とに基づいてユーザが話し中であるかどうかを示す発話音声検出信号を出力する発話音声検出コンポーネントであって、前記ユーザが話し中である確率を示す前記発話音声検出信号を発話音声検出基準として計算し、前記発話音声検出基準と前記マイクロフォン信号とを結合し、前記確率と前記マイクロフォン信号の積である結合信号を生成する発話音声検出コンポーネントと、
前記結合信号に基づいて前記感知された音声入力内の発話音声を表す認識出力を提供する発話音声認識エンジン
を備えることを特徴とする発話音声認識システム。
【請求項９】
前記音声マイクロフォンと前記発話音声センサは、ヘッドフォンに搭載されていることを特徴とする請求項８記載の発話音声認識システム。
【請求項１０】
音声マイクロフォンを用いて音声入力を表す第１の信号を生成すること、
顔の動きセンサによって感知されるユーザの顔の動きを表す第２の信号を生成すること、
前記第１の信号と前記第２の信号に基づいて前記ユーザが話し中であるかどうかを検知し、発話音声検知信号を生成すること、
前記第１の信号と前記発話音声検知信号に基づいて発話音声を認識すること
を含み、
前記発話音声を認識することは、
前記ユーザが話し中であることを前記発話音声信号が示す確率に基づく量によって発話音声が認識される可能性を増加させること、
前記ユーザが話し中でないことを前記発話音声信号が示す確率に基づく量によって発話音声が認識される可能性を減少させること
を含むことを特徴とする発話音声認識方法。
【請求項１１】
前記第２の信号を生成することは、前記ユーザの顎および首のうちの一方の振動を感知することを含むことを特徴とする請求項１０記載の方法。
【請求項１２】
前記第２の信号を生成することは、前記ユーザの口の動きを示す画像を感知することを含むことを特徴とする請求項１０記載の方法。
【請求項１３】
前記ユーザが話し中であるかどうかを検出した結果に基づいて発話音声検出信号を提供することを更に含むことを特徴とする請求項１０記載の方法。
【請求項１４】
ヘッドマウントと、
前記ヘッドマウントに機械的に接続された音声マイクロフォンと、
発話音声を示す入力に基づいて電気信号を生成するように構成され、ユーザの耳の内部に入るように配置され、および、前記ヘッドマウントに機械的に接続されたインイヤ式変換器と、
前記ヘッドマウントに機械的に接続された少なくとも１つのイヤホーンスピーカ
を備えることを特徴とするヘッドセット。
【請求項１５】
前記変換器は、マイクロフォンを備えることを特徴とする請求項１４記載のヘッドセット。
【請求項１６】
前記変換器は、前記ヘッドセットに固定的に結合されていることを特徴とする請求項１４記載のヘッドセット。
【請求項１７】
前記音声マイクロフォンは、前記ヘッドセットに固定的に結合されていることを特徴とする請求項１６記載のヘッドセット。
【請求項１８】
音声入力に基づいてマイクロフォン信号を出力する音声マイクロフォンと、
ユーザの顔の動きを感知し、前記動きを示すセンサ信号を出力するように構成された発話音声センサと、
前記センサ信号を受け取り、前記センサ信号に基づいて前記ユーザが話し中かどうかを示す発話音声検出信号を出力し、前記発話音声検出信号に基づき発話音声認識器に送るパワーを制御するように構成された発話音声検出コンポーネント
を備えることを特徴とする発話音声検出システム。
【請求項１９】
前記発話音声検出コンポーネントは、前記マイクロフォン信号を受け取り、前記センサ信号と前記マイクロフォン信号とに基づき前記発話音声検出信号を提供するように構成されていることを特徴とする請求項１８記載の発話音声検出システム。
【請求項２０】
ユーザが話し中であるかどうかを検出する方法において、
前記ユーザの顔から反射され、検知された放射を示すセンサ信号を提供すること、
前記センサ信号に基づき前記ユーザが話し中であるかどうかを検出すること、
前記ユーザが話し中であるかどうかに基づいて発話音声認識器へ送るパワーを制御すること
を含むことを特徴とする方法。
【請求項２１】
前記センサ信号を提供することは、
前記ユーザの顔に赤外線を向けること、
前記ユーザの顔から反射された赤外線を検出すること
を含むことを特徴とする請求項２０記載の方法。
【請求項２２】
センサ信号を提供することは、
前記検出された赤外線の量を示す放射検出信号として前記センサ信号を生成することを含むことを特徴とする請求項２１記載の方法。
【請求項２３】
前記ユーザが話し中であるかどうかを検出することは、
断続的にセンサ信号の基準値を計算することを含むことを特徴とする請求項２２記載の方法。
【請求項２４】
発話音声検出システムを備えた発話音声認識システムであって、
前記発話音声検出システムは、
音声入力に基づきマイクロフォン信号を出力する音声マイクロフォンと、
ユーザの耳の内部の振動を感知し、前記振動を示すセンサ信号を出力するように構成されたインイヤ式発話音声センサと、
前記センサ信号を受け取り、前記センサ信号に基づき前記ユーザが話し中であるかどうかを示す発話音声検出信号を出力するように構成された発話音声検出コンポーネントと、
前記発話音声検出信号と前記マイクロフォン信号に基づき修正発話音声信号を提供するバックグラウンド発話音声除去コンポーネントと、
前記修正発話音声信号を受け取り、前記修正発話音声信号により表される発話音声を認識する発話音声認識エンジンであって、前記発話音声検出信号に基づきパワーが与えられる発話音声認識エンジン
を備えることを特徴とする発話音声認識システム。
【請求項２５】
音声マイクロフォンと、スピーカと、ユーザの耳の中の振動を感知し、前記振動を示すセンサ信号を出力するように構成されたインイヤ式センサを含むヘッドセットを備えることを特徴とする音声入力システム。
【請求項２６】
音声入力に基づきマイクロフォン信号を出力する音声マイクロフォンと、音声の物理的特徴を感知し、前記感知された物理的特徴を示すセンサ信号を出力するように構成されたインイヤ式発話音声センサを含むヘッドセットと、
前記マイクロフォン信号と前記センサ信号に基づき発話音声を認識する発話音声認識エンジン
を備えることを特徴とする発話音声認識システム。